(57)【要約】【課題】短絡線を緩めることなく結線でき、巻線の巻回作業を容易に精度よくできる電機子、電機子の巻線巻回方法及び直流モータを提供する。【解決手段】第１〜第８短絡線Ｌ１〜Ｌ８の非端末部を引っ掛けた第２、第５、第８、第１１、第１４、第１７、第２０、第２３セグメントＳ２，Ｓ５，Ｓ８，Ｓ１１，Ｓ１４，Ｓ１７，Ｓ２０，Ｓ２３のライザＲに、巻線の巻端部が掛け止めされて巻線が巻回されるようにした。また、第２、第５、第８、第１１、第１４、第１７、第２０、第２３セグメントＳ２，Ｓ５，Ｓ８，Ｓ１１，Ｓ１４，Ｓ１７，Ｓ２０，Ｓ２３のライザＲを周方向において互いに隣接しないように配置した。さらに、第２、第５、第８、第１１、第１４、第１７、第２０、第２３セグメントＳ２，Ｓ５，Ｓ８，Ｓ１１，Ｓ１４，Ｓ１７，Ｓ２０，Ｓ２３を除くセグメントのライザＲを折り曲げた後に、巻線を巻回するようにした。【選択図】図３
2015082894.tif 000002
【特許請求の範囲】
【請求項１】
複数個のセグメントを組としその組を複数組有し、各組毎に同電位とする前記複数個のセグメント間を電気的に導通状態とする短絡線を備え、各組の短絡線の始端部と終端部との間の非端末部が、その始端部と終端部が結線されるセグメントと同じ組であって異なるセグメントのライザに引っ掛けられた整流子を有する電機子であって、
前記各組の非端末部は、他の組の非端末部と周方向において隣接しないように、前記セグメントのライザに掛け止めされ、それら各非端末部が掛け止めされた前記各セグメントのライザを使って巻線が巻回されていることを特徴とする電機子。
【請求項２】
複数個のセグメントを組としその組を複数組有し、各組毎に同電位とする前記複数個のセグメント間を電気的に導通状態とする短絡線を備え、各組の短絡線の始端部と終端部との間の非端末部が、その始端部と終端部が結線されるセグメントと同じ組であって異なるセグメントのライザに引っ掛けられた整流子を有する電機子の巻線巻回方法であって、
各短絡線について、前記同じ組の異なるセグメントのライザに引っ掛けられる非端末部が、他の組の非端末部と周方向において隣接しないように、短絡線の始端部と終端部を同じ組のセグメントに結線する短絡線結線工程と、
各組のセグメントについて、前記非端末部を引っ掛けたセグメントのライザを除いたセグメントのライザを前記短絡線の始端部及び終端部が保持される方向へ折り曲げるライザ折り曲げ工程と、
各組の前記非端末部を引っ掛け折り曲げられてないセグメントのライザを使って巻線を巻回する巻線巻回工程と
を備えることを特徴とする電機子の巻線巻回方法。
【請求項３】
請求項２に記載の電機子の巻線巻回方法において、
前記ライザ折り曲げ工程、またはライザと短絡線の始端部及び終端部とをヒュージングにて接合するヒュージング工程のいずれかの工程の後、前記巻線巻回工程に移ることを特徴とする電機子の巻線巻回方法。
【請求項４】
請求項２又は３に記載の電機子の巻線巻回方法において、
前記巻線巻回工程の後に、巻線の巻回に使った前記非端末部を引っ掛けたセグメントのライザと、前記短絡線の非端末部及び巻線の巻端部とをヒュージングにて接合したことを特徴とする電機子の巻線巻回方法。
【請求項５】
請求項２〜４のいずれか１つに記載の電機子の巻線巻回方法にて製造した電機子を有したことを特徴とする直流モータ。
【発明の詳細な説明】
【技術分野】
【０００１】
本発明は、電機子、電機子の巻線巻回方法及び直流モータに関するものである。
【背景技術】
【０００２】
直流モータの電機子において、電機子コアに対して周方向に並設された各ティースが、二股状に分岐形成され一対の分岐部を有したものがある（特許文献１）。この電機子に巻回される巻線は、電機子コアの中心側を各ティースの基端部位に集中巻きで巻線を施し、電機子コアの外側を二股状に形成した一対の分岐部を利用して隣接するティースの分岐部間を分布巻きにて巻線を施している。これによって、コギングの少ない直流モータを実現させている。
【先行技術文献】
【特許文献】
【０００３】
【特許文献１】特開２０１０−９８９２７号公報
【発明の概要】
【発明が解決しようとする課題】
【０００４】
ところで、上記構成の電機子において、複数個のセグメントを同電位にするためにその複数個のセグメント間を電気的に導通状態に接続した短絡線を整流子は設けている。この短絡線を結線するセグメントのライザには、合わせて巻線の巻端部が結線される。
【０００５】
一般に、セグメントのライザに、短絡線の始端部又は終端部と巻線の巻端部を結線するとき、短絡線の始端部及び終端部をセグメントのライザに掛け止めした後に、巻線の巻端部をセグメントのライザに掛け止めし巻線の巻回作業を行うようにしている。
【０００６】
従って、短絡線の始端部又は終端部を掛け止めした同じセグメントのライザに、巻線の巻端部を掛け止めされる場合がある。この場合、巻線の巻端部をセグメントのライザに掛け止めを行っている時、その掛け止めによって、先に掛け止めされている短絡線の始端部又は終端部の掛け止め部分が緩められ、短絡線の始端部又は終端部と巻線の巻端部を、合わせてヒュージング等で結線するとき、短絡線を精度よく結線できない虞があった。
【０００７】
特に、巻線の数、セグメントの数及び磁極の数が多くそれに伴って短絡線が多い直流モータでは、問題となる。
また、巻線の数及びその巻線を結線するセグメントの数が多くなるに伴って、隣接するセグメントのライザ間の距離が短くなり、巻線の巻端部をセグメントのライザに巻き止めする際に隣接するセグメントのライザが邪魔になる。そのため、容易で精度の高い巻回作業を短時間で行うことができなくなっていた。
【０００８】
本発明は上記問題点を解消するためになされたものであって、その目的は、短絡線を緩めることなく結線でき、巻線の巻回作業を容易に精度よくできる電機子、電機子の巻線巻回方法及び直流モータを提供することにある。
【課題を解決するための手段】
【０００９】
上記課題を解決するための電機子は、複数個のセグメントを組としその組を複数組有し、各組毎に同電位とする前記複数個のセグメント間を電気的に導通状態とする短絡線を備え、各組の短絡線の始端部と終端部との間の非端末部が、その始端部と終端部が結線されるセグメントと同じ組であって異なるセグメントのライザに引っ掛けられた整流子を有する電機子であって、前記各組の非端末部は、他の組の非端末部と周方向において隣接しないように、前記セグメントのライザに掛け止めされ、それら各非端末部が掛け止めされた前記各セグメントのライザを使って巻線が巻回されている。
【００１０】
上記構成によれば、短絡線の始端部及び終端部が掛け止めされているライザに、巻線の巻端部が合わせて掛け止めされていない。従って、短絡線の始端部及び終端部の掛け止め部分は、巻線の巻端部の掛け止め際に影響を受けることはないので、短絡線の始端部及び終端部の掛け止め部分は緩む虞はない。
【００１１】
上記課題を解決するための電機子の巻線巻回方法は、複数個のセグメントを組としその組を複数組有し、各組毎に同電位とする前記複数個のセグメント間を電気的に導通状態とする短絡線を備え、各組の短絡線の始端部と終端部との間の非端末部が、その始端部と終端部が結線されるセグメントと同じ組であって異なるセグメントのライザに引っ掛けられた整流子を有する電機子の巻線巻回方法であって、各短絡線について、前記同じ組の異なるセグメントのライザに引っ掛けられる非端末部が、他の組の非端末部と周方向において隣接しないように、短絡線の始端部と終端部を同じ組のセグメントに結線する短絡線結線工程と、各組のセグメントについて、前記非端末部を引っ掛けたセグメントのライザを除いたセグメントのライザを前記短絡線の始端部及び終端部が保持される方向へ折り曲げるライザ折り曲げ工程と、各組の前記非端末部を引っ掛け折り曲げられてないセグメントのライザを使って巻線を巻回する巻線巻回工程とを備える。
【００１２】
上記構成によれば、各短絡線の非端末部を引っ掛けてなるセグメントのライザには、巻端部が掛け止めされて巻線が巻回され、短絡線の始端部及び終端部が掛け止めされているライザには、巻線の巻端部が合わせて掛け止めされていない。従って、短絡線の始端部及び終端部の掛け止め部分は、巻線の巻端部の掛け止め際に影響を受けることはない。その結果、短絡線の始端部及び終端部の掛け止め部分は緩む虞はない。
【００１３】
また、短絡線結線工程において、非端末部を引っ掛けたセグメントのライザ、即ち、巻線の巻回に使用するセグメントのライザを周方向において隣接しないように配置し、ライザ折り曲げ工程において、巻線の巻回に使用するライザを除いて全てのライザを折り曲げた。
【００１４】
従って、巻線の巻端部をライザに引っ掛ける際に、巻線の巻回に使用しないライザが折り曲げられているので、邪魔になるライザがなくなり、巻線の巻回が容易かつ精度よく行える。
【００１５】
上記電機子の巻線巻回方法において、前記ライザ折り曲げ工程、またはライザと短絡線の始端部及び終端部とをヒュージングにて接合するヒュージング工程のいずれかの工程の後、前記巻線巻回工程に移ることが好ましい。
【００１６】
上記構成によれば、短絡線の始端部及び終端部は、ライザに対して電気的に接続される。
上記電機子の巻線巻回方法において、前記巻線巻回工程の後に、巻線の巻回に使った前記非端末部を引っ掛けたセグメントのライザと前記短絡線の非端末部及び巻線の巻端部とをヒュージングにて接合したことが好ましい。
【００１７】
上記構成によれば、短絡線の非端末部及び巻線の巻端部はライザに対して電気的に接続される。
上記課題を解決するための直流モータは、上記各電機子の巻線巻回方法にて製造した電機子を有した。
【００１８】
上記構成によれば、直流モータの電機子は、短絡線の始端部及び終端部の掛け止め部分は緩む虞がなく、巻線の巻回が容易かつ精度よく行える。
【発明の効果】
【００１９】
本発明によれば、短絡線を緩めることなく結線でき、巻線の巻回作業を容易に精度よくできる。
【図面の簡単な説明】
【００２０】
【図１】実施形態の直流モータの軸方向から見た断面図。
【図２】同じく、電機子コアの軸方向から見た正面図。
【図３】同じく、各セグメントに短絡線を結線した状態を示す軸方向から見た正面図。
【図４】同じく、第１及び第５短絡線の結線順序を示す説明図。
【図５】同じく、第２及び第６短絡線の結線順序を示す説明図。
【図６】同じく、第３及び第７短絡線の結線順序を示す説明図。
【図７】同じく、第４及び第８短絡線の結線順序を示す説明図。
【図８】同じく、第１及び第７巻線の巻回順序を示す説明図。
【図９】同じく、第５及び第１１巻線の巻回順序を示す説明図。
【図１０】同じく、第９及び第３巻線の巻回順序を示す説明図。
【図１１】同じく、第２及び第８巻線の巻回順序を示す説明図。
【図１２】同じく、第６及び第１２巻線の巻回順序を示す説明図。
【図１３】同じく、第１０及び第４巻線の巻回順序を示す説明図。
【図１４】同じく、第１８及び第２４巻線の巻回順序を示す説明図。
【図１５】同じく、第２２及び第１６巻線の巻回順序を示す説明図。
【図１６】同じく、第１４及び第２０巻線の巻回順序を示す説明図。
【図１７】同じく、第１９及び第１３巻線の巻回順序を示す説明図。
【図１８】同じく、第２３及び第１７巻線の巻回順序を示す説明図。
【図１９】同じく、第１５及び第２１巻線の巻回順序を示す説明図。
【図２０】別例の電機子の各短絡線を結線した状態を示す軸方向から見た正面図。
【図２１】同じく、１つの短絡線の結線方法を示す図。
【発明を実施するための形態】
【００２１】
以下、本発明を具体化した一実施形態を図１〜図１９に従って説明する。
図１に示すように、直流モータ１は、固定子２と、該固定子２の内側に配置された電機子３とを備えている。
【００２２】
（固定子２）
固定子２を構成する略円筒状のヨークハウジング２ａの内周面には、磁極としての３個の第１永久磁石ＭＧ１と３個の第２永久磁石ＭＧ２が、周方向に交互に等ピッチ（本実施形態では６０°間隔）となるように固着されている。
【００２３】
３個の第１永久磁石ＭＧ１は、径方向に磁化されていて、径方向内側がＮ極、径方向外側がＳ極となるように磁化されている。一方、３個の第２永久磁石ＭＧ２は、径方向に磁化されていて、径方向内側がＳ極、径方向外側がＮ極となるように磁化されている。
【００２４】
従って、固定子２には、径方向内側がＮ極の３個の第１永久磁石ＭＧ１は、径方向内側がＳ極の第２永久磁石ＭＧ２を挟んで１２０°間隔でそれぞれ配置されている。換言すれば、径方向内側がＳ極の３個の第２永久磁石ＭＧ２は、径方向内側がＮ極の第１永久磁石ＭＧ１を挟んで１２０°のピッチでそれぞれ配置されている。そして、直流モータ１は、３個の第１永久磁石ＭＧ１と３個の第２永久磁石ＭＧ２を周方向に交互に配置することにより磁極の数が「６」となっている。つまり、極数対が「３」になっている。
【００２５】
（電機子３）
図１に示すように、電機子３は、回転軸４と、該回転軸４に固定された略円筒状の整流子５と、同じく回転軸４に固定された電機子コア６とを備えている。この電機子３は、回転軸４が固定子２によって軸支されることにより、固定子２に対して回転可能に支持されている。そして、整流子５及び電機子コア６は、共に回転軸４に固定されることにより、回転軸４の回転に伴って一体回転される。
【００２６】
図１に示すように、整流子５は、回転軸４に固着された絶縁性樹脂材料よりなる円筒状の保持部材５ａを有し、その保持部材５ａの外周面周方向に２４個のセグメントＳが時計回り方向に順番に互いに離間した状態で配置されている。
【００２７】
ここで、図２に示すように、２４個のセグメントＳをそれぞれ特定するために、以後、第１〜第２４セグメントＳ１〜Ｓ２４という。そして、図２に示すように、第１〜第２４セグメントＳ１〜Ｓ２４は、保持部材５ａの外周面を時計回り方向に順番に互いに離間した状態で配置されている。従って、２４個の第１〜第２４セグメントＳ１〜Ｓ２４は、周方向に等ピッチ（１５°間隔）となるように配置されている。
【００２８】
図１に２点鎖線で示すように、整流子５の外周には、陽極側ブラシＢ１及び陰極側ブラシＢ２が第１〜第２４セグメントＳ１〜Ｓ２４に摺接可能に配置されている。陽極側ブラシＢ１と陰極側ブラシＢ２は、周方向に１８０°相対向する位置配置されていて、陽極側ブラシＢ１は、第１永久磁石ＭＧ１の周方向中心位置と対応する位置に配置されているとともに、陰極側ブラシＢ２は、第２永久磁石ＭＧ２の周方向中心位置と対応する位置に配置されている。そして、電機子３には、これら陽極側ブラシＢ１及び陰極側ブラシＢ２を介して電流が供給される。
【００２９】
図３に示すように、整流子５において、同じ極の磁極が配置される角度間隔と同じ角度間隔で配置されたセグメントＳ（Ｓ１〜Ｓ２４）同士は、短絡線によって短絡されている。即ち、固定子２においてＮ極の第１永久磁石ＭＧ１は、１２０°間隔で配置されているため、１２０°間隔を開けて配置された３つのセグメントＳは、１つの組となってそれぞれ対応する第１〜第８短絡線Ｌ１〜Ｌ８によって互いに短絡されて同電位となる。
【００３０】
ちなみに、図３に示すように、第１、第１７、第９セグメントＳ１，Ｓ１７，Ｓ９の組が第１短絡線Ｌ１によって互いに短絡されて同電位となる。
また、第１０、第２、第１８セグメントＳ１０，Ｓ２，Ｓ１８の組が第２短絡線Ｌ２によって互いに短絡されて同電位となる。
【００３１】
また、第１９、第１１、第３セグメントＳ１９，Ｓ１１，Ｓ３の組が第３短絡線Ｌ３によって互いに短絡されて同電位となる。
また、第４、第２０、第１２セグメントＳ４，Ｓ２０，Ｓ１２の組が第４短絡線Ｌ４によって互いに短絡されて同電位となる。
【００３２】
また、第１３、第５、第２１セグメントＳ１３，Ｓ５，Ｓ２１の組が第５短絡線Ｌ５によって互いに短絡されて同電位となる。
また、第２２、第１４、第６セグメントＳ２２，Ｓ１４，Ｓ６の組が第６短絡線Ｌ６によって互いに短絡されて同電位となる。
【００３３】
また、第７、第２３、第１５セグメントＳ７，Ｓ２３，Ｓ１５の組が第７短絡線Ｌ７によって互いに短絡されて同電位となる。
また、第１６、第８、第２４セグメントＳ１６，Ｓ８，Ｓ２４の組が第８短絡線Ｌ８によって互いに短絡されて同電位となる。
【００３４】
図１に示すように、電機子コア６は、円筒状のコアバック７と、該コアバック７の外周面から径方向外側に向かって延びる１２本のティースＴとが一体に形成されてなるとともに、コアバック７が回転軸４に外嵌されることにより同回転軸４に対して固定されている。ちなみに、第１〜第２４セグメントＳ１〜Ｓ２４の数は、１２本のティースＴの数の２倍となるように設定されている。
【００３５】
図１に示すように、各ティースＴの先端部には、周方向の時計回り方向に分岐し径方向外側に延出形成された第１分岐部Ｔａと、周方向の反時計回り方向に分岐し径方向外側に延出形成された第２分岐部Ｔｂとが設けられている。そして、各ティースＴにそれぞれ二股状の一対の第１及び第２分岐部Ｔａ，Ｔｂを形成することによって、電機子コア６には、２４個のスロットＳＬが形成される。なお、各ティースＴにおいて、それぞれ一対の第１及び第２分岐部Ｔａ，Ｔｂよりも径方向内側となる基端部側の部位を、内側巻回部Ｔｃとしている。
【００３６】
ここで、図２に示すように、１２本のティースＴをそれぞれ特定するために、以後、第１〜第１２ティースＴ１〜Ｔ１２という。また、第１〜第１２ティースＴ１〜Ｔ１２の第１及び第２分岐部Ｔａ，Ｔｂを、第１及び第２分岐部Ｔ１ａ，Ｔ１ｂ〜Ｔ１２ａ，Ｔ１２ｂという。さらに、第１〜第１２ティースＴ１〜Ｔ１２の内側巻回部Ｔｃを、内側巻回部Ｔ１ｃ〜Ｔ１２ｃという。
【００３７】
そして、図２に示すように、１２本の第１〜第１２ティースＴ１〜Ｔ１２は、コアバック７に対し周方向に等ピッチ（３０°間隔）となる位置において、時計回り方向に順番に形成されている。このとき、第１〜第１２ティースＴ１〜Ｔ１２は、第１〜第２４セグメントＳ１〜Ｓ２４のうち、それぞれ２個が径方向において相対向するように相対配置されている。
【００３８】
詳述すると、図２に示すように、第１ティースＴ１は、第１及び第２セグメントＳ１，Ｓ２がそれぞれ対峙する。第２ティースＴ２は、第３及び第４セグメントＳ３，Ｓ４がそれぞれ対峙する。第３ティースＴ３は、第５及び第６セグメントＳ５，Ｓ６がそれぞれ対峙する。第４ティースＴ４は第７及び第８セグメントＳ７，Ｓ８がそれぞれ対峙する。
【００３９】
また、第５ティースＴ５は、第９及び第１０セグメントＳ９，Ｓ１０がそれぞれ対峙する。第６ティースＴ６は、第１１及び第１２セグメントＳ１１，Ｓ１２がそれぞれ対峙する。第７ティースＴ７は、第１３及び第１４セグメントＳ１３，Ｓ１４がそれぞれ対峙する。第８ティースＴ８は、第１５及び第１６セグメントＳ１５，Ｓ１６がそれぞれ対峙する。
【００４０】
さらに、第９ティースＴ９は、第１７及び第１８セグメントＳ１７，Ｓ１８がそれぞれ対峙する。第１０ティースＴ１０は、第１９及び第２０セグメントＳ１９，Ｓ２０がそれぞれ対峙する。第１１ティースＴ１１は、第２１及び第２２セグメントＳ２１，Ｓ２２がそれぞれ対峙する。第１２ティースＴ１２は、第２３及び第２４セグメントＳ２３，Ｓ２４がそれぞれ対峙する。
【００４１】
また、第１〜第１２ティースＴ１〜Ｔ１２に一対の第１及び第２分岐部Ｔ１ａ，Ｔ１ｂ〜Ｔ１２ａ，Ｔ１２ｂを形成することによって、電機子コア６に２４個のスロットＳＬを形成される。ここで、説明の便宜上、電機子コア６に形成される２４個のスロットＳＬを特定するために、スロット番号「１」〜「２４」で特定し、その番号を図２、図８〜図１９に付す。
【００４２】
ちなみに、本実施形態では、一対の第１及び第２分岐部Ｔ１ａ，Ｔ１ｂ〜Ｔ１２ａ，Ｔ１２ｂの周方向の幅は、内側巻回部Ｔ１ｃ〜Ｔ１２ｃの周方向の幅の半分である。
ここで、各ティースにおいて、それぞれ一対の第１及び第２分岐部Ｔ１ａ，Ｔ１ｂ〜Ｔ１２ａ，Ｔ１２ｂが形成する間隔（スロットＳＬ）の中間位置は、その中間位置と回転軸４の中心軸線を結ぶ線上に、相対配置された２個のセグメントとの間隔の中間位置が位置するようになっている。
【００４３】
つまり、第１ティースＴ１の第１及び第２分岐部Ｔ１ａ，Ｔ１ｂとの間隔（スロット番号「２」のスロットＳＬ）の中間位置と回転軸４の中心軸線を結ぶ線上には、第１及び第２セグメントＳ１，Ｓ２との間隔の中間位置が位置する。
【００４４】
以下、第２ティースＴ２の第１及び第２分岐部Ｔ２ａ，Ｔ２ｂとの間隔（スロット番号「４」のスロットＳＬ）の中間位置と回転軸４の中心軸線を結ぶ線上には、第３及び第４セグメントＳ３，Ｓ４との間隔の中間位置が位置する。
【００４５】
第３ティースＴ３の第１及び第２分岐部Ｔ３ａ，Ｔ３ｂとの間隔（スロット番号「６」のスロットＳＬ）の中間位置と回転軸４の中心軸線を結ぶ線上には、第５及び第６セグメントＳ５，Ｓ６との間隔の中間位置が位置する。
【００４６】
第４ティースＴ４の第１及び第２分岐部Ｔ４ａ，Ｔ４ｂとの間隔（スロット番号「８」のスロットＳＬ）の中間位置と回転軸４の中心軸線を結ぶ線上には、第７及び第８セグメントＳ７，Ｓ８との間隔の中間位置が位置する。
【００４７】
第５ティースＴ５の第１及び第２分岐部Ｔ５ａ，Ｔ５ｂとの間隔（スロット番号「１０」のスロットＳＬ）の中間位置と回転軸４の中心軸線を結ぶ線上には、第９及び第１０セグメントＳ９，Ｓ１０との間隔の中間位置が位置する。
【００４８】
第６ティースＴ６の第１及び第２分岐部Ｔ６ａ，Ｔ６ｂとの間隔（スロット番号「１２」のスロットＳＬ）の中間位置と回転軸４の中心軸線を結ぶ線上には、第１１及び第１２セグメントＳ１１，Ｓ１２との間隔の中間位置が位置する。
【００４９】
第７ティースＴ７の第１及び第２分岐部Ｔ７ａ，Ｔ７ｂとの間隔（スロット番号「１４」のスロットＳＬ）の中間位置と回転軸４の中心軸線を結ぶ線上には、第１３及び第１４セグメントＳ１３，Ｓ１４との間隔の中間位置が位置する。
【００５０】
第８ティースＴ８の第１及び第２分岐部Ｔ８ａ，Ｔ８ｂとの間隔（スロット番号「１６」のスロットＳＬ）の中間位置と回転軸４の中心軸線を結ぶ線上には、第１５及び第１６セグメントＳ１５，Ｓ１６との間隔の中間位置が位置する。
【００５１】
第９ティースＴ９の第１及び第２分岐部Ｔ９ａ，Ｔ９ｂとの間隔（スロット番号「１８」のスロットＳＬ）の中間位置と回転軸４の中心軸線を結ぶ線上には、第１７及び第１８セグメントＳ１７，Ｓ１８との間隔の中間位置が位置する。
【００５２】
第１０ティースＴ１０の第１及び第２分岐部Ｔ１０ａ，Ｔ１０ｂとの間隔（スロット番号「２０」のスロットＳＬ）の中間位置と回転軸４の中心軸線を結ぶ線上には、第１９及び第２０セグメントＳ１９，Ｓ２０との間隔の中間位置が位置する。
【００５３】
第１１ティースＴ１１の第１及び第２分岐部Ｔ１１ａ，Ｔ１１ｂとの間隔（スロット番号「２２」のスロットＳＬ）の中間位置と回転軸４の中心軸線を結ぶ線上には、第２１及び第２２セグメントＳ２１，Ｓ２２との間隔の中間位置が位置する。
【００５４】
第１２ティースＴ１２の第１及び第２分岐部Ｔ１２ａ，Ｔ１２ｂとの間隔（スロット番号「２４」のスロットＳＬ）の中間位置と回転軸４の中心軸線を結ぶ線上には、第２３及び第２４セグメントＳ２３，Ｓ２４との間隔の中間位置が位置する。
【００５５】
また、隣り合うティースにおいて、隣り合う一方のティースの第１分岐部と他方のティースの第２分岐部が形成する間隔（スロットＳＬ）の中間位置は、その中間位置と回転軸４の中心軸線を結ぶ線上に、隣り合うティースに相対配置された片方ずつのセグメントとの間隔の中間位置が位置するようになっている。
【００５６】
詳述すると、第１ティースＴ１の第１分岐部Ｔ１ａと第２ティースＴ２の第２分岐部Ｔ２ｂとの間隔（スロット番号「３」のスロットＳＬ）の中間位置と回転軸４の中心軸線を結ぶ線上には、第２及び第３セグメントＳ２，Ｓ３との間隔の中間位置が位置する。
【００５７】
以下、第２ティースＴ２の第１分岐部Ｔ２ａと第３ティースＴ３の第２分岐部Ｔ３ｂとの間隔（スロット番号「５」のスロットＳＬ）の中間位置と回転軸４の中心軸線を結ぶ線上には、第４及び第５セグメントＳ４，Ｓ５との間隔の中間位置が位置する。
【００５８】
第３ティースＴ３の第１分岐部Ｔ３ａと第４ティースＴ４の第２分岐部Ｔ４ｂとの間隔（スロット番号「７」のスロットＳＬ）の中間位置と回転軸４の中心軸線を結ぶ線上には、第６及び第７セグメントＳ６，Ｓ７との間隔の中間位置が位置する。
【００５９】
第４ティースＴ４の第１分岐部Ｔ４ａと第５ティースＴ５の第２分岐部Ｔ５ｂとの間隔（スロット番号「９」のスロットＳＬ）の中間位置と回転軸４の中心軸線を結ぶ線上には、第８及び第９セグメントＳ８，Ｓ９との間隔の中間位置が位置する。
【００６０】
第５ティースＴ５の第１分岐部Ｔ５ａと第６ティースＴ６の第２分岐部Ｔ６ｂとの間隔（スロット番号「１１」のスロットＳＬ）の中間位置と回転軸４の中心軸線を結ぶ線上には、第１０及び第１１セグメントＳ１０，Ｓ１１との間隔の中間位置が位置する。
【００６１】
第６ティースＴ６の第１分岐部Ｔ６ａと第７ティースＴ７の第２分岐部Ｔ７ｂとの間隔（スロット番号「１３」のスロットＳＬ）の中間位置と回転軸４の中心軸線を結ぶ線上には、第１２及び第１３セグメントＳ１２，Ｓ１３との間隔の中間位置が位置する。
【００６２】
第７ティースＴ７の第１分岐部Ｔ７ａと第８ティースＴ８の第２分岐部Ｔ８ｂとの間隔（スロット番号「１５」のスロットＳＬ）の中間位置と回転軸４の中心軸線を結ぶ線上には、第１４及び第１５セグメントＳ１４，Ｓ１５との間隔の中間位置が位置する。
【００６３】
第８ティースＴ８の第１分岐部Ｔ８ａと第９ティースＴ９の第２分岐部Ｔ９ｂとの間隔（スロット番号「１７」のスロットＳＬ）の中間位置と回転軸４の中心軸線を結ぶ線上には、第１６及び第１７セグメントＳ１６，Ｓ１７との間隔の中間位置が位置する。
【００６４】
第９ティースＴ９の第１分岐部Ｔ９ａと第１０ティースＴ１０の第２分岐部Ｔ１０ｂとの間隔（スロット番号「１９」のスロットＳＬ）の中間位置と回転軸４の中心軸線を結ぶ線上には、第１８及び第１９セグメントＳ１８，Ｓ１９との間隔の中間位置が位置する。
【００６５】
第１０ティースＴ１０の第１分岐部Ｔ１０ａと第１１ティースＴ１１の第２分岐部Ｔ１１ｂとの間隔（スロット番号「２１」のスロットＳＬ）の中間位置と回転軸４の中心軸線を結ぶ線上には、第２０及び第２１セグメントＳ２０，Ｓ２１との間隔の中間位置が位置する。
【００６６】
第１１ティースＴ１１の第１分岐部Ｔ１１ａと第１２ティースＴ１２の第２分岐部Ｔ１２ｂとの間隔（スロット番号「２３」のスロットＳＬ）の中間位置と回転軸４の中心軸線を結ぶ線上には、第２２及び第２３セグメントＳ２２，Ｓ２３との間隔の中間位置が位置する。
【００６７】
第１２ティースＴ１２の第１分岐部Ｔ１２ａと第１ティースＴ１の第２分岐部Ｔ１ｂとの間隔（スロット番号「１」のスロットＳＬ）の中間位置と回転軸４の中心軸線を結ぶ線上には、第２４及び第１セグメントＳ２４，Ｓ１との間隔の中間位置が位置する。
【００６８】
図１に示すように、上記のように構成された電機子コア６の各ティースＴ（第１〜第１２ティースＴ１〜Ｔ１２）には、電機子巻線が巻回されている。
ここで、説明の便宜上、第１〜第１２ティースＴ１〜Ｔ１２の内側巻回部Ｔ１ｃ〜Ｔ１２ｃに巻回されている電機子巻線ついて、第１ティースＴ１の内側巻回部Ｔ１ｃから時計回り方向に第１２ティースＴ１２の内側巻回部Ｔ１２ｃまでそれぞれ巻回されている各巻線を、順番に第１〜第１２巻線Ｃ１〜Ｃ１２を呼ぶ。
【００６９】
また、隣り合うティースの第１分岐部と第２分岐部との間に巻回されている電機子巻線について、第１ティースＴ１の第１分岐部Ｔ１ａと第２ティースＴ２の第２分岐部Ｔ２ｂから時計回り方向に第１２ティースＴ１２の第１分岐部Ｔ１２ａと第１ティースＴ１の第２分岐部Ｔ１ｂまでそれぞれ巻回されている各巻線を、順番に第１３〜第２４巻線Ｃ１３〜Ｃ２４と呼ぶ。
【００７０】
従って、第１〜第１２ティースＴ１〜Ｔ１２の内側巻回部Ｔ１ｃ〜Ｔ１２ｃに巻回された第１〜第１２巻線Ｃ１〜Ｃ１２は、集中巻きとなる。また、隣り合う一方のティースの第１分岐部と他方のティースの第２分岐部との間に巻回された第１３〜第２４巻線Ｃ１３〜Ｃ２４は、分布巻きとなる。
【００７１】
本実施形態では、集中巻きの第１〜第１２巻線Ｃ１〜Ｃ１２について、８個の第１〜第４、第７〜第１０巻線Ｃ１〜Ｃ４，Ｃ７〜Ｃ１０が順巻きにて巻回されている。これに対して、４個の第５、第６、第１１，第１２巻線Ｃ５，Ｃ６，Ｃ１１，Ｃ１２が逆巻きにて巻回されている。
【００７２】
一方、分布巻きの第１３〜第２４巻線Ｃ１３〜Ｃ２４について、８個の第１３〜第１５、第１８〜第２１巻線、第２４巻線Ｃ１３〜Ｃ１５，Ｃ１８〜Ｃ２１，Ｃ２４が順巻きにて巻回されている。これに対して、４個の第１６、第１７、第２２、第２３巻線Ｃ１６，Ｃ１７，Ｃ２２，Ｃ２３が逆巻きにて巻回されている。
【００７３】
（短絡線結線工程）
次に、第１〜第８短絡線Ｌ１〜Ｌ８の結線方法について、以下の表１に示す短絡線結線工程表と図４〜図７に示す短絡線結線図に従って説明する。
【００７４】
【表１】
2015082894.tif 000003
本実施形態では、表１に示す短絡線結線工程表と図４〜図７に示す結線図から明らかなように、１８０°対向する位置に配置された一方の短絡線と他方の短絡線を同時に結線していく方法であって、ダブルフライヤー巻線機が用いられる。
【００７５】
従って、短絡線結線工程表において、Ａフライヤー（巻線機）とＢフライヤー（巻線機）が分担して第１〜第８短絡線Ｌ１〜Ｌ８を結線する。
短絡線結線工程１（セグメント：Ｓ１→Ｓ１７→Ｓ９、Ｓ１３→Ｓ５→Ｓ２１）
図４に示すように、Ａフライヤーは、絶縁被膜された第１導線Ｗ１の始端部を、第１セグメントＳ１のライザＲに引っ掛けて掛け止めした後、反時計回り方向に１２０°離間した第１７セグメントＳ１７まで反時計回り方向に引き回し、同第１７セグメントＳ１７のライザＲにクロスさせて引っ掛ける。Ａフライヤーは、同第１７セグメントＳ１７のライザＲに引っ掛けた第１導線Ｗ１を、反時計回り方向に１２０°離間した第９セグメントＳ９まで反時計回り方向に引き回し同第９セグメントＳ９のライザＲに引っ掛けて掛け止めする。
【００７６】
一方、図４に示すように、Ｂフライヤーは、絶縁被膜された第２導線Ｗ２の始端部を、第１３セグメントＳ１３のライザＲに引っ掛けて掛け止めした後、反時計回り方向に１２０°離間した第５セグメントＳ５まで反時計回り方向に引き回し、同第５セグメントＳ５のライザＲにクロスさせて引っ掛ける。Ｂフライヤーは、同第５セグメントＳ５のライザＲに引っ掛けた第２導線Ｗ２を、反時計回り方向に１２０°離間した第２１セグメントＳ２１まで反時計回り方向に引き回し同第２１セグメントＳ２１のライザＲに引っ掛けて掛け止めする。
【００７７】
短絡線結線工程２（断線）
Ａフライヤーは、第９セグメントＳ９のライザＲに掛け止めした第１導線Ｗ１を切断（断線）する。これによって、その中間部（非端末部）が第１７セグメントＳ１７のライザＲに引っ掛けられた第１導線Ｗ１は、その始端部が第１セグメントＳ１のライザＲに掛け止めされ、その終端部が第９セグメントＳ９のライザＲに掛け止めされてなる第１短絡線Ｌ１となる。
【００７８】
Ｂフライヤーは、第２１セグメントＳ２１のライザＲに掛け止めした第２導線Ｗ２を切断（断線）する。これによって、その中間部（非端末部）が第５セグメントＳ５のライザＲに引っ掛けられた第２導線Ｗ２は、その始端部が第１３セグメントＳ１３のライザＲに掛け止めされ、その終端部が第２１セグメントＳ２１のライザＲに掛け止めされてなる第５短絡線Ｌ５となる。
【００７９】
短絡線結線工程３（セグメント：Ｓ１０→Ｓ２→Ｓ１８、Ｓ２２→Ｓ１４→Ｓ６）
図５に示すように、Ａフライヤーは、切断した第１導線Ｗ１の始端部を、第１０セグメントＳ１０のライザＲに引っ掛けて掛け止めした後、反時計回り方向に１２０°離間した第２セグメントＳ２まで反時計回り方向に引き回し、同第２セグメントＳ２のライザＲにクロスさせて引っ掛ける。Ａフライヤーは、同第２セグメントＳ２のライザＲに引っ掛けた第１導線Ｗ１を、反時計回り方向に１２０°離間した第１８セグメントＳ１８まで反時計回り方向に引き回し同第１８セグメントＳ１８のライザＲに引っ掛けて掛け止めする。
【００８０】
一方、図５に示すように、Ｂフライヤーは、切断した第２導線Ｗ２の始端部を、第２２セグメントＳ２２のライザＲに引っ掛けて掛け止めした後、反時計回り方向に１２０°離間した第１４セグメントＳ１４まで反時計回り方向に引き回し、同第１４セグメントＳ１４のライザＲにクロスさせて引っ掛ける。Ｂフライヤーは、同第１４セグメントＳ１４のライザＲに引っ掛けた第２導線Ｗ２を、反時計回り方向に１２０°離間した第６セグメントＳ６まで反時計回り方向に引き回し同第６セグメントＳ６のライザＲに引っ掛けて掛け止めする。
【００８１】
短絡線結線工程４（断線）
Ａフライヤーは、第１８セグメントＳ１８のライザＲに掛け止めした第１導線Ｗ１を切断（断線）する。これによって、その中間部（非端末部）が第２セグメントＳ２のライザＲに引っ掛けられた第１導線Ｗ１は、その始端部が第１０セグメントＳ１０のライザＲに掛け止めされ、その終端部が第１８セグメントＳ１８のライザＲに掛け止めされてなる第２短絡線Ｌ２となる。
【００８２】
Ｂフライヤーは、第６セグメントＳ６のライザＲに掛け止めした第２導線Ｗ２を切断（断線）する。これによって、その中間部（非端末部）が第１４セグメントＳ１４のライザＲに引っ掛けられた第２導線Ｗ２は、その始端部が第２２セグメントＳ２２のライザＲに掛け止めされ、その終端部が第６セグメントＳ６のライザＲに掛け止めされてなる第６短絡線Ｌ６となる。
【００８３】
短絡線結線工程５（セグメント：Ｓ１９→Ｓ１１→Ｓ３、Ｓ７→Ｓ２３→Ｓ１５）
図６に示すように、Ａフライヤーは、切断した第１導線Ｗ１の始端部を、第１９セグメントＳ１９のライザＲに引っ掛けて掛け止めした後、反時計回り方向に１２０°離間した第１１セグメントＳ１１まで反時計回り方向に引き回し、同第１１セグメントＳ１１のライザＲにクロスさせて引っ掛ける。Ａフライヤーは、同第１１セグメントＳ１１のライザＲに引っ掛けた第１導線Ｗ１を、反時計回り方向に１２０°離間した第３セグメントＳ３まで反時計回り方向に引き回し同第３セグメントＳ３のライザＲに引っ掛けて掛け止めする。
【００８４】
一方、図６に示すように、Ｂフライヤーは、切断した第２導線Ｗ２の始端部を、第７セグメントＳ７のライザＲに引っ掛けて掛け止めした後、反時計回り方向に１２０°離間した第２３セグメントＳ２３まで反時計回り方向に引き回し、同第２３セグメントＳ２３のライザＲにクロスさせて引っ掛ける。Ｂフライヤーは、同第２３セグメントＳ２３のライザＲに引っ掛けた第２導線Ｗ２を、反時計回り方向に１２０°離間した第１５セグメントＳ１５まで反時計回り方向に引き回し同第１５セグメントＳ１５のライザＲに引っ掛けて掛け止めする。
【００８５】
短絡線結線工程６（断線）
Ａフライヤーは、第３セグメントＳ３のライザＲに掛け止めした第１導線Ｗ１を切断（断線）する。これによって、その中間部（非端末部）が第１１セグメントＳ１１のライザＲに引っ掛けられた第１導線Ｗ１は、その始端部が第１９セグメントＳ１９のライザＲに掛け止めされ、その終端部が第３セグメントＳ３のライザＲに掛け止めされてなる第３短絡線Ｌ３となる。
【００８６】
Ｂフライヤーは、第１５セグメントＳ１５のライザＲに掛け止めした第２導線Ｗ２を切断（断線）する。これによって、その中間部（非端末部）が第２３セグメントＳ２３のライザＲに引っ掛けられた第２導線Ｗ２は、その始端部が第７セグメントＳ７のライザＲに掛け止めされ、その終端部が第１５セグメントＳ１５のライザＲに掛け止めされてなる第７短絡線Ｌ７となる。
【００８７】
短絡線結線工程７（セグメント：Ｓ４→Ｓ２０→Ｓ１２、Ｓ１６→Ｓ８→Ｓ２４）
図７に示すように、Ａフライヤーは、切断した第１導線Ｗ１の始端部を、第４セグメントＳ４のライザＲに引っ掛けて掛け止めした後、反時計回り方向に１２０°離間した第２０セグメントＳ２０まで反時計回り方向に引き回し、同第２０セグメントＳ２０のライザＲにクロスさせて引っ掛ける。Ａフライヤーは、同第２０セグメントＳ２０のライザＲに引っ掛けた第１導線Ｗ１を、反時計回り方向に１２０°離間した第１２セグメントＳ１２まで反時計回り方向に引き回し同第１２セグメントＳ１２のライザＲに引っ掛けて掛け止めする。
【００８８】
一方、図７に示すように、Ｂフライヤーは、切断した第２導線Ｗ２の始端部を、第１６セグメントＳ１６のライザＲに引っ掛けて掛け止めした後、反時計回り方向に１２０°離間した第８セグメントＳ８まで反時計回り方向に引き回し、同第８セグメントＳ８のライザＲにクロスさせて引っ掛ける。Ｂフライヤーは、同第８セグメントＳ８のライザＲに引っ掛けた第２導線Ｗ２を、反時計回り方向に１２０°離間した第２４セグメントＳ２４まで反時計回り方向に引き回し同第２４セグメントＳ２４のライザＲに引っ掛けて掛け止めする。
【００８９】
短絡線結線工程８（断線）
Ａフライヤーは、第１２セグメントＳ１２のライザＲに掛け止めした第１導線Ｗ１を切断（断線）する。これによって、その中間部（非端末部）が第２０セグメントＳ２０のライザＲに引っ掛けられた第１導線Ｗ１は、その始端部が第２セグメントＳ２のライザＲに掛け止めされ、その終端部が第１２セグメントＳ１２のライザＲに掛け止めされてなる第４短絡線Ｌ４となる。
【００９０】
Ｂフライヤーは、第２４セグメントＳ２４のライザＲに掛け止めした第２導線Ｗ２を切断（断線）する。これによって、その中間部（非端末部）が第８セグメントＳ８のライザＲに引っ掛けられた第２導線Ｗ２は、その始端部が第１６セグメントＳ１６のライザＲに掛け止めされ、その終端部が第２４セグメントＳ２４のライザＲに掛け止めされてなる第８短絡線Ｌ８となる。
【００９１】
そして、ＡフライヤーとＢフライヤーからなるダブルフライヤー巻線機を使っての第１〜第８短絡線Ｌ１〜Ｌ８の結線作業は終了する。
このとき、ＡフライヤーとＢフライヤーを備えたダブルフライヤー巻線機は、短絡線結線工程１〜短絡線結線工程８の短絡線結線作業において、ＡフライヤーとＢフライヤーが１８０°対峙して結線作業を行う。そのため、短絡線結線工程１〜短絡線結線工程８において、結線作業途中で、ＡフライヤーとＢフライヤーが衝突することなく、それぞれ分担の結線作業が行われる。
【００９２】
（ライザ折り曲げ工程）
次に、短絡線結線工程において結線された第１〜第８短絡線Ｌ１〜Ｌ８を掛け止めしたセグメントのライザを折り曲げるライザ折り曲げ工程を行う。
【００９３】
このライザを折り曲げるライザ折り曲げ工程は、第１〜第８短絡線Ｌ１〜Ｌ８の始端部及び終端部を掛け止めしているセグメントのライザを折り曲げる作業である。
詳述すると、第１７セグメントＳ１７のライザＲを除く第１及び第９セグメントＳ１，Ｓ９のライザＲについて、第１短絡線Ｌ１の始端部及び終端部の掛け止めた部分が保持される方向に折り曲げる。
【００９４】
第２セグメントＳ２のライザＲを除く第１０及び第１８セグメントＳ１０，Ｓ１８のライザＲについて、第２短絡線Ｌ２の始端部及び終端部の掛け止めた部分が保持される方向に折り曲げる。
【００９５】
第１１セグメントＳ１１のライザＲを除く第１９及び第３セグメントＳ１９，Ｓ３のライザＲについて、第３短絡線Ｌ３の始端部及び終端部の掛け止めた部分が保持される方向に折り曲げる。
【００９６】
第２０セグメントＳ２０のライザＲを除く第２及び第１２セグメントＳ２，Ｓ１２のライザＲについて、第４短絡線Ｌ４の始端部及び終端部の掛け止めた部分が保持される方向に折り曲げる。
【００９７】
第５セグメントＳ５のライザＲを除く第１３及び第２１セグメントＳ１３，Ｓ２１のライザＲについて、第５短絡線Ｌ５の始端部及び終端部の掛け止めた部分が保持される方向に折り曲げる。
【００９８】
第１４セグメントＳ１４のライザＲを除く第２２及び第６セグメントＳ２２，Ｓ６のライザＲについて、第６短絡線Ｌ６の始端部及び終端部の掛け止めた部分が保持される方向に折り曲げる。
【００９９】
第２３セグメントＳ２３のライザＲを除く第７及び第１５セグメントＳ７，Ｓ１５のライザＲについて、第７短絡線Ｌ７の始端部及び終端部の掛け止めた部分が保持される方向に折り曲げる。
【０１００】
第８セグメントＳ８のライザＲを除く第１６及び第２４セグメントＳ１６，Ｓ２４のライザＲについて、第８短絡線Ｌ８の始端部及び終端部の掛け止めた部分が保持される方向に折り曲げる。
【０１０１】
これによって、８個の第２、第５、第８、第１１、第１４、第１７、第２０、及び、第２３セグメントＳ２，Ｓ５，Ｓ８，Ｓ１１，Ｓ１４，Ｓ１７，Ｓ２０，Ｓ２３のライザＲが折り曲げられない状態にある。
【０１０２】
つまり、この８個のセグメントＳ２，Ｓ５，Ｓ８，Ｓ１１，Ｓ１４，Ｓ１７，Ｓ２０，Ｓ２３の折り曲げられないライザＲを用いて、次に行う第１〜第２４巻線Ｃ１〜Ｃ２４の巻回作業に移る。
【０１０３】
（巻線巻回工程）
ライザ折り曲げ工程が完了すると、第１〜第２４巻線Ｃ１〜Ｃ２４の巻回作業に移る。
ここで、第１〜第２４巻線Ｃ１〜Ｃ２４の巻回を、以下の表２に示す巻線巻回工程表と図８〜図１９に示す巻回図に従って説明する。
【０１０４】
【表２】
2015082894.tif 000004
本実施形態では、表２に示す工程表と図８〜図１９に示す巻回図から明らかなように、１８０°対向する位置に配置された一方の巻線と他方の巻線を同時に巻回していく方法であって、ダブルフライヤー巻線機が用いられる。
【０１０５】
従って、工程表において、第１〜第８短絡線Ｌ１〜Ｌ８と同様に、Ａフライヤー（巻線機）とＢフライヤー（巻線機）が分担して第１〜第２４巻線Ｃ１〜Ｃ２４を巻回する。
巻線巻回工程１（セグメント：Ｓ１７、Ｓ５）
図８に示すように、Ａフライヤーは、第１導線Ｗ１の始端部を第１７セグメントＳ１７のライザＲに掛け止めする。
【０１０６】
一方、図８に示すように、Ｂフライヤーは、第２導線Ｗ２の始端部を第５セグメントＳ５のライザＲに掛け止めする。
巻線巻回工程２（スロット：第１巻線Ｃ１、第７巻線Ｃ７）
図８に示すように、Ａフライヤーは、第１７セグメントＳ１７のライザＲに引っ掛け掛け止めした第１導線Ｗ１を、スロット番号「３」のスロットＳＬまで反時計回り方向に引き回す。そして、Ａフライヤーは、スロット番号「３」と「１」のスロットＳＬとの間おいて、引き回した第１導線Ｗ１を第１ティースＴ１の内側巻回部Ｔ１ｃに順巻きにて巻回する。これによって、内側巻回部Ｔ１ｃには、集中巻きで順巻きの第１巻線Ｃ１が巻回される。
【０１０７】
一方、図８に示すように、Ｂフライヤーは、第５セグメントＳ５のライザＲに引っ掛け掛け止めした第２導線Ｗ２を、スロット番号「１５」のスロットＳＬまで反時計回り方向に引き回す。そして、Ｂフライヤーは、スロット番号「１５」と「１３」のスロットＳＬとの間おいて、引き回した第２導線Ｗ２を第７ティースＴ７の内側巻回部Ｔ７ｃに順巻きにて巻回する。これによって、内側巻回部Ｔ７ｃには、集中巻きで順巻きの第７巻線Ｃ７が巻回される。
【０１０８】
巻線巻回工程３（セグメント：Ｓ２、Ｓ１４）
図８に示すように、Ａフライヤーは、第１巻線Ｃ１を巻回した第１導線Ｗ１を、スロット番号「１」のスロットＳＬから第２セグメントＳ２まで時計回り方向に引き回し、同第２セグメントＳ２のライザＲに引っ掛ける。
【０１０９】
一方、図８に示すように、Ｂフライヤーは、第７巻線Ｃ７を巻回した第２導線Ｗ２を、スロット番号「１３」のスロットＳＬから第１４セグメントＳ１４まで時計回り方向に引き回し、同第１４セグメントＳ１４のライザＲに引っ掛ける。
【０１１０】
巻線巻回工程４（スロット：第５巻線Ｃ５、第１１巻線Ｃ１１）
図９に示すように、Ａフライヤーは、第２セグメントＳ２のライザＲに引っ掛けた第１導線Ｗ１を、スロット番号「９」のスロットＳＬまで時計回り方向に引き回す。そして、Ａフライヤーは、スロット番号「９」と「１１」のスロットＳＬとの間おいて、引き回した第１導線Ｗ１を第５ティースＴ５の内側巻回部Ｔ５ｃに逆巻きにて巻回する。これによって、内側巻回部Ｔ５ｃには、集中巻きで逆巻きの第５巻線Ｃ５が巻回される。
【０１１１】
一方、図９に示すように、Ｂフライヤーは、第１４セグメントＳ１４のライザＲに引っ掛けた第２導線Ｗ２を、スロット番号「２１」のスロットＳＬまで時計回り方向に引き回す。そして、Ｂフライヤーは、スロット番号「２１」と「２３」のスロットＳＬとの間おいて、引き回した第２導線Ｗ２を第１１ティースＴ１１の内側巻回部Ｔ１１ｃに逆巻きにて巻回する。これによって、内側巻回部Ｔ１１ｃには、集中巻きで逆巻きの第１１巻線Ｃ１１が巻回される。
【０１１２】
巻線巻回工程５（セグメント：Ｓ１７、Ｓ５）
図９に示すように、Ａフライヤーは、第５巻線Ｃ５を巻回した第１導線Ｗ１を、スロット番号「１１」のスロットＳＬから第１７セグメントＳ１７まで時計回り方向に引き回し、同第１７セグメントＳ１７のライザＲに引っ掛ける。
【０１１３】
一方、図９に示すように、Ｂフライヤーは、第１１巻線Ｃ１１を巻回した第２導線Ｗ２を、スロット番号「２３」のスロットＳＬから第５セグメントＳ５まで時計回り方向に引き回し、同第５セグメントＳ５のライザＲに引っ掛ける。
【０１１４】
巻線巻回工程６（スロット：第９巻線Ｃ９、第３巻線Ｃ３）
図１０に示すように、Ａフライヤーは、第１７セグメントＳ１７のライザＲに引っ掛けた第１導線Ｗ１を、スロット番号「１９」のスロットＳＬまで時計回り方向に引き回す。そして、Ａフライヤーは、スロット番号「１９」と「１７」のスロットＳＬとの間おいて、引き回した第１導線Ｗ１を第９ティースＴ９の内側巻回部Ｔ９ｃに順巻きにて巻回する。これによって、内側巻回部Ｔ９ｃには、集中巻きで順巻きの第９巻線Ｃ９が巻回される。
【０１１５】
一方、図１０に示すように、Ｂフライヤーは、第５セグメントＳ５のライザＲに引っ掛けた第２導線Ｗ２を、スロット番号「７」のスロットＳＬまで時計回り方向に引き回す。そして、Ｂフライヤーは、スロット番号「７」と「５」のスロットＳＬとの間おいて、引き回した第２導線Ｗ２を第３ティースＴ３の内側巻回部Ｔ３ｃに順巻きにて巻回する。これによって、内側巻回部Ｔ３ｃには、集中巻きで順巻きの第３巻線Ｃ３が巻回される。
【０１１６】
巻線巻回工程７（セグメント：Ｓ２、Ｓ１４）
図１０に示すように、Ａフライヤーは、第９巻線Ｃ９を巻回した第１導線Ｗ１を、スロット番号「１７」のスロットＳＬから第２セグメントＳ２まで時計回り方向に引き回し、同第２セグメントＳ２のライザＲに引っ掛け、掛け止めする。
【０１１７】
一方、図１０に示すように、Ｂフライヤーは、第３巻線Ｃ３を巻回した第２導線Ｗ２を、スロット番号「５」のスロットＳＬから第１４セグメントＳ１４まで時計回り方向に引き回し、同第１４セグメントＳ１４のライザＲに引っ掛け、掛け止めする。
【０１１８】
巻線巻回工程８（断線）
Ａフライヤーは、第２セグメントＳ２のライザＲに掛け止めした第１導線Ｗ１を切断（断線）する。
【０１１９】
Ｂフライヤーは、第１４セグメントＳ１４のライザＲに掛け止めした第２導線Ｗ２を切断（断線）する。
巻線巻回工程９（セグメント：Ｓ１１、Ｓ２３）
図１１に示すように、Ａフライヤーは、切断した第１導線Ｗ１を新たに第１１セグメントＳ１１のライザＲに掛け止めする。
【０１２０】
一方、図１１に示すように、Ｂフライヤーは、切断した第２導線Ｗ２を新たに第２３セグメントＳ２３のライザＲに掛け止めする。
巻線巻回工程１０（スロット：第２巻線Ｃ２、第８巻線Ｃ８）
図１１に示すように、Ａフライヤーは、第１１セグメントＳ１１のライザＲに掛け止めした第１導線Ｗ１を、スロット番号「５」のスロットＳＬまで反時計回り方向に引き回す。そして、Ａフライヤーは、スロット番号「５」と「３」のスロットＳＬとの間おいて、その引き回した第１導線Ｗ１を第２ティースＴ２の内側巻回部Ｔ２ｃに順巻きにて巻回する。これによって、内側巻回部Ｔ２ｃには、集中巻きで順巻きの第２巻線Ｃ２が巻回される。
【０１２１】
一方、図１１に示すように、Ｂフライヤーは、第２３セグメントＳ２３のライザＲに掛け止めした第２導線Ｗ２を、スロット番号「１７」のスロットＳＬまで反時計回り方向に引き回す。そして、Ｂフライヤーは、スロット番号「１７」と「１５」のスロットＳＬとの間おいて、その引き回した第２導線Ｗ２を第８ティースＴ８の内側巻回部Ｔ８ｃに順巻きにて巻回する。これによって、内側巻回部Ｔ８ｃには、集中巻きで順巻きの第８巻線Ｃ８が巻回される。
【０１２２】
巻線巻回工程１１（セグメント：Ｓ２０、Ｓ８）
図１１に示すように、Ａフライヤーは、第２巻線Ｃ２を巻回した第１導線Ｗ１を、スロット番号「３」のスロットＳＬから第２０セグメントＳ２０まで反時計回り方向に引き回し、同第２０セグメントＳ２０のライザＲに引っ掛ける。
【０１２３】
一方、図１１に示すように、Ｂフライヤーは、第８巻線Ｃ８を巻回した第２導線Ｗ２を、スロット番号「１５」のスロットＳＬから第８セグメントＳ８まで反時計回り方向に引き回し、同第８セグメントＳ８のライザＲに引っ掛ける。
【０１２４】
巻線巻回工程１２（スロット：第６巻線Ｃ６、第１２巻線Ｃ１２）
図１２に示すように、Ａフライヤーは、第２０セグメントＳ２０のライザＲに引っ掛けた第１導線Ｗ１を、スロット番号「１１」のスロットＳＬまで反時計回り方向に引き回す。そして、Ａフライヤーは、スロット番号「１１」と「１３」のスロットＳＬとの間おいて、その引き回した第１導線Ｗ１を第６ティースＴ６の内側巻回部Ｔ６ｃに逆巻きにて巻回する。これによって、内側巻回部Ｔ６ｃには、集中巻きで逆巻きの第６巻線Ｃ６が巻回される。
【０１２５】
一方、図１２に示すように、Ｂフライヤーは、第８セグメントＳ８のライザＲに引っ掛けた第２導線Ｗ２を、スロット番号「２３」のスロットＳＬまで反時計回り方向に引き回す。そして、Ｂフライヤーは、スロット番号「２３」と「１」のスロットＳＬとの間おいて、その引き回した第２導線Ｗ２を第１２ティースＴ１２の内側巻回部Ｔ１２ｃに逆巻きにて巻回する。これによって、内側巻回部Ｔ１２ｃには、集中巻きで第１２巻線Ｃ１２が巻回される。
【０１２６】
巻線巻回工程１３（セグメント：Ｓ１１、Ｓ２３）
図１２に示すように、Ａフライヤーは、第６巻線Ｃ６を巻回した第１導線Ｗ１を、スロット番号「１３」のスロットＳＬから第１１セグメントＳ１１まで反時計回り方向に引き回し、同第１１セグメントＳ１１のライザＲに引っ掛ける。
【０１２７】
一方、図１２に示すように、Ｂフライヤーは、第１２巻線Ｃ１２を巻回した第２導線Ｗ２を、スロット番号「１」のスロットＳＬから第２３セグメントＳ２３まで反時計回り方向に引き回し、同第２３セグメントＳ２３のライザＲに引っ掛ける。
【０１２８】
巻線巻回工程１４（スロット：第１０巻線Ｃ１０、第４巻線Ｃ４）
図１３に示すように、Ａフライヤーは、第１１セグメントＳ１１のライザＲに引っ掛けた第１導線Ｗ１を、スロット番号「２１」のスロットＳＬまで時計回り方向に引き回す。そして、Ａフライヤーは、スロット番号「２１」と「１９」のスロットＳＬとの間おいて、引き回した第１導線Ｗ１を第１０ティースＴ１０の内側巻回部Ｔ１０ｃに順巻きにて巻回する。これによって、内側巻回部Ｔ１０ｃには、集中巻きで順巻きの第１０巻線Ｃ１０が巻回される。
【０１２９】
一方、図１３に示すように、Ｂフライヤーは、第２３セグメントＳ２３のライザＲに引っ掛けた第２導線Ｗ２を、スロット番号「９」のスロットＳＬまで時計回り方向に引き回す。そして、Ｂフライヤーは、スロット番号「９」と「７」のスロットＳＬとの間おいて、引き回した第２導線Ｗ２を第４ティースＴ４の内側巻回部Ｔ４ｃに順巻きにて巻回する。これによって、内側巻回部Ｔ４ｃには、集中巻きで順巻きの第４巻線Ｃ４が巻回される。
【０１３０】
この時点で、１２個全ての内側巻回部Ｔ１ｃ〜Ｔ１２ｃのそれぞれに集中巻線からなる第１〜第１２巻線Ｃ１〜Ｃ１２が、ＡフライヤーとＢフライヤーにて巻回される。
巻線巻回工程１５（セグメント：Ｓ２０、Ｓ８）
図１３に示すように、Ａフライヤーは、第１０巻線Ｃ１０を巻回した第１導線Ｗ１を、スロット番号「１９」のスロットＳＬから第２０セグメントＳ２０まで時計回り方向に引き回し、同第２０セグメントＳ２０のライザＲに引っ掛ける。
【０１３１】
一方、図１３に示すように、Ｂフライヤーは、第４巻線Ｃ４を巻回した第２導線Ｗ２を、スロット番号「７」のスロットＳＬから第８セグメントＳ８まで時計回り方向に引き回し、同第８セグメントＳ８のライザＲに引っ掛ける。
【０１３２】
巻線巻回工程１６（スロット：第１８巻線Ｃ１８、第２４巻線Ｃ２４）
図１４に示すように、Ａフライヤーは、第２０セグメントＳ２０のライザＲに引っ掛けた第１導線Ｗ１を、スロット番号「１４」のスロットＳＬまで反時計回り方向に引き回す。そして、Ａフライヤーは、スロット番号「１４」と「１２」のスロットＳＬとの間おいて、即ち、第７ティースＴ７の第２分岐部Ｔ７ｂ及び第６ティースＴ６の第１分岐部Ｔ６ａ間に、その引き回した第１導線Ｗ１を順巻きにて巻回する。これによって、第２分岐部Ｔ７ｂと第１分岐部Ｔ６ａの間には、分布巻きで順巻きの第１８巻線Ｃ１８が巻回される。
【０１３３】
一方、図１４に示すように、Ｂフライヤーは、第８セグメントＳ８のライザＲに引っ掛けた第２導線Ｗ２を、スロット番号「２」のスロットＳＬまで反時計回り方向に引き回す。そして、Ｂフライヤーは、スロット番号「２」と「２４」のスロットＳＬとの間おいて、即ち、第１ティースＴ１の第２分岐部Ｔ１ｂ及び第１２ティースＴ１２の第１分岐部Ｔ１２ａ間に、その引き回した第２導線Ｗ２を順巻きにて巻回する。これによって、第２分岐部Ｔ１ｂと第１分岐部Ｔ１２ａの間には、分布巻きで順巻きの第２４巻線Ｃ２４が巻回される。
【０１３４】
巻線巻回工程１７（セグメント：Ｓ５、Ｓ１７）
図１４に示すように、Ａフライヤーは、第１８巻線Ｃ１８を巻回した第１導線Ｗ１を、スロット番号「１２」のスロットＳＬから第５セグメントＳ５まで反時計回り方向に引き回し、同第５セグメントＳ５のライザＲに引っ掛ける。
【０１３５】
一方、図１４に示すように、Ｂフライヤーは、第２４巻線Ｃ２４を巻回した第２導線Ｗ２を、スロット番号「２４」のスロットＳＬから第１７セグメントＳ１７まで反時計回り方向に引き回し、同第１７セグメントＳ１７のライザＲに引っ掛ける。
【０１３６】
巻線巻回工程１８（スロット：第２２巻線Ｃ２２、第１６巻線Ｃ１６）
図１５に示すように、Ａフライヤーは、第５セグメントＳ５のライザＲに引っ掛けた第１導線Ｗ１を、スロット番号「２０」のスロットＳＬまで反時計回り方向に引き回す。そして、Ａフライヤーは、スロット番号「２０」と「２２」のスロットＳＬとの間おいて、即ち、第１１ティースＴ１１の第２分岐部Ｔ１１ｂ及び第１０ティースＴ１０の第１分岐部Ｔ１０ａ間に、引き回した第１導線Ｗ１を逆巻きにて巻回する。これによって、第２分岐部Ｔ１１ｂと第１分岐部Ｔ１０ａの間には、分布巻きで逆巻きの第２２巻線Ｃ２２が巻回される。
【０１３７】
一方、図１５に示すように、Ｂフライヤーは、第１７セグメントＳ１７のライザＲに引っ掛けた第２導線Ｗ２を、スロット番号「８」のスロットＳＬまで反時計回り方向に引き回す。そして、Ｂフライヤーは、スロット番号「８」と「１０」のスロットＳＬとの間おいて、即ち、第５ティースＴ５の第２分岐部Ｔ５ｂ及び第４ティースＴ４の第１分岐部Ｔ４ａ間に、その引き回した第２導線Ｗ２を逆巻きにて巻回する。これによって、第２分岐部Ｔ５ｂと第１分岐部Ｔ４ａの間には、分布巻きで逆巻きの第１６巻線Ｃ１６が巻回される。
【０１３８】
巻線巻回工程１９（セグメント：Ｓ２０、Ｓ８）
図１５に示すように、Ａフライヤーは、第２２巻線Ｃ２２を巻回した第１導線Ｗ１を、スロット番号「２２」のスロットＳＬから第２０セグメントＳ２０まで反時計回り方向に引き回し、同第２０セグメントＳ２０のライザＲに引っ掛ける。
【０１３９】
一方、図１５に示すように、Ｂフライヤーは、第１６巻線Ｃ１６を巻回した第２導線Ｗ２を、スロット番号「１０」のスロットＳＬから第８セグメントＳ８まで反時計回り方向に引き回し、同第８セグメントＳ８のライザＲに引っ掛ける。
【０１４０】
巻線巻回工程２０（スロット：第１４巻線Ｃ１４、第２０巻線Ｃ２０）
図１６に示すように、Ａフライヤーは、第２０セグメントＳ２０のライザＲに引っ掛けた第１導線Ｗ１を、スロット番号「６」のスロットＳＬまで時計回り方向に引き回す。そして、Ａフライヤーは、スロット番号「６」と「４」のスロットＳＬとの間おいて、即ち、第３ティースＴ３の第２分岐部Ｔ３ｂ及び第２ティースＴ２の第１分岐部Ｔ２ａ間に、その引き回した第１導線Ｗ１を順巻きにて巻回する。これによって、第２分岐部Ｔ３ｂと第１分岐部Ｔ２ａの間には、分布巻きで順巻きの第１４巻線Ｃ１４が巻回される。
【０１４１】
一方、図１６に示すように、Ｂフライヤーは、第８セグメントＳ８のライザＲに引っ掛けた第２導線Ｗ２を、スロット番号「１８」のスロットＳＬまで時計回り方向に引き回す。そして、Ｂフライヤーは、スロット番号「１８」と「１６」のスロットＳＬとの間おいて、即ち、第９ティースＴ９の第２分岐部Ｔ９ｂ及び第８ティースＴ８の第１分岐部Ｔ８ａ間に、その引き回した第２導線Ｗ２を順巻きにて巻回する。これによって、第２分岐部Ｔ９ｂと第１分岐部Ｔ８ａの間には、分布巻きで順巻きの第２０巻線Ｃ２０が巻回される。
【０１４２】
巻線巻回工程２１（セグメント：Ｓ５、Ｓ１７）
図１６に示すように、Ａフライヤーは、第１４巻線Ｃ１４を巻回した第１導線Ｗ１を、スロット番号「４」のスロットＳＬから第５セグメントＳ５まで時計回り方向に引き回し、同第５セグメントＳ５のライザＲに引っ掛け、掛け止めする。
【０１４３】
一方、図１６に示すように、Ｂフライヤーは、第２０巻線Ｃ２０を巻回した第２導線Ｗ２を、スロット番号「１６」のスロットＳＬから第１７セグメントＳ１７まで時計回り方向に引き回し、同第１７セグメントＳ１７のライザＲに引っ掛け、掛け止めする。
【０１４４】
巻線巻回工程２２（断線）
Ａフライヤーは、第５セグメントＳ５のライザＲに掛け止めした第１導線Ｗ１を切断（断線）する。
【０１４５】
Ｂフライヤーは、第１７セグメントＳ１７のライザＲに掛け止めした第２導線Ｗ２を切断（断線）する。
巻線巻回工程２３（セグメント：Ｓ１４、Ｓ２）
図１７に示すように、Ａフライヤーは、切断した第１導線Ｗ１を新たに第１４セグメントＳ１４のライザＲに掛け止めする。
【０１４６】
一方、図１７に示すように、Ｂフライヤーは、切断した第２導線Ｗ２を新たに第２セグメントＳ２のライザＲに掛け止めする。
巻線巻回工程２４（スロット：第１９巻線Ｃ１９、第１３巻線Ｃ１３）
図１７に示すように、Ａフライヤーは、第１４セグメントＳ１４のライザＲに掛け止めした第１導線Ｗ１を、スロット番号「１６」のスロットＳＬまで時計回り方向に引き回す。そして、Ａフライヤーは、スロット番号「１６」と「１４」のスロットＳＬとの間おいて、即ち、第８ティースＴ８の第２分岐部Ｔ８ｂ及び第７ティースＴ７の第１分岐部Ｔ７ａ間に、その引き回した第１導線Ｗ１を順巻きにて巻回する。これによって、第２分岐部Ｔ８ｂと第１分岐部Ｔ７ａの間には、分布巻きで順巻きの第１９巻線Ｃ１９が巻回される。
【０１４７】
一方、図１７に示すように、Ｂフライヤーは、第２セグメントＳ２のライザＲに掛け止めした第２導線Ｗ２を、スロット番号「４」のスロットＳＬまで時計回り方向に引き回す。そして、Ｂフライヤーは、スロット番号「４」と「２」のスロットＳＬとの間おいて、即ち、第２ティースＴ２の第２分岐部Ｔ２ｂ及び第１ティースＴ１の第１分岐部Ｔ１ａ間に、その引き出した第２導線Ｗ２を順巻きにて巻回する。これによって、第２分岐部Ｔ２ｂと第１分岐部Ｔ１ａの間には、分布巻きで順巻きの第１３巻線Ｃ１３が巻回される。
【０１４８】
巻線巻回工程２５（セグメント：Ｓ２３、Ｓ１１）
図１７に示すように、Ａフライヤーは、第１９巻線Ｃ１９を巻回した第１導線Ｗ１を、スロット番号「１４」のスロットＳＬから第２３セグメントＳ２３まで時計回り方向に引き回し、同第２３セグメントＳ２３のライザＲに引っ掛ける。
【０１４９】
一方、図１７に示すように、Ｂフライヤーは、第１３巻線Ｃ１３を巻回した第２導線Ｗ２を、スロット番号「２」のスロットＳＬから第１１セグメントＳ１１まで時計回り方向に引き回し、同第１１セグメントＳ１１のライザＲに引っ掛ける。
【０１５０】
巻線巻回工程２６（スロット：第２３巻線Ｃ２３、第１７巻線Ｃ１７）
図１８に示すように、Ａフライヤーは、第２３セグメントＳ２３のライザＲに引っ掛けた第１導線Ｗ１を、スロット番号「２２」のスロットＳＬまで反時計回り方向に引き回す。そして、Ａフライヤーは、スロット番号「２２」と「２４」のスロットＳＬとの間おいて、即ち、第１２ティースＴ１２の第２分岐部Ｔ１２ｂ及び第１１ティースＴ１１の第１分岐部Ｔ１１ａ間に、その引き回した第１導線Ｗ１を逆巻きにて巻回する。これによって、第２分岐部Ｔ１２ｂと第１分岐部Ｔ１１ａの間に、分布巻きで逆巻きの第２３巻線Ｃ２３が巻回される。
【０１５１】
一方、図１８に示すように、Ｂフライヤーは、第１１セグメントＳ１１のライザＲに引っ掛けた第２導線Ｗ２を、スロット番号「１０」のスロットＳＬまで反時計回り方向に引き回す。そして、Ｂフライヤーは、スロット番号「１０」と「１２」のスロットＳＬとの間おいて、即ち、第６ティースＴ６の第２分岐部Ｔ６ｂ及び第５ティースＴ５の第１分岐部Ｔ５ａ間に、引き回した第２導線Ｗ２を逆巻きにて巻回する。これによって、第２分岐部Ｔ６ｂと第１分岐部Ｔ５ａの間には、分布巻きで逆巻きの第１７巻線Ｃ１７が巻回される。
【０１５２】
巻線巻回工程２７（セグメント：Ｓ１４、Ｓ２）
図１８に示すように、Ａフライヤーは、第２３巻線Ｃ２３を巻回した第１導線Ｗ１を、スロット番号「２４」のスロットＳＬから第１４セグメントＳ１４まで反時計回り方向に引き回し、同第１４セグメントＳ１４のライザＲに引っ掛ける。
【０１５３】
一方、図１８に示すように、Ｂフライヤーは、第１７巻線Ｃ１７を巻回した第２導線Ｗ２を、スロット番号「１２」のスロットＳＬから第２セグメントＳ２まで反時計回り方向に引き回し、同第２セグメントＳ２のライザＲに引っ掛ける。
【０１５４】
巻線巻回工程２８（スロット：第１５巻線Ｃ１５、第２１巻線Ｃ２１）
図１９に示すように、Ａフライヤーは、第１４セグメントＳ１４のライザＲに引っ掛けた第１導線Ｗ１を、スロット番号「８」のスロットＳＬまで反時計回り方向に引き回す。そして、Ａフライヤーは、スロット番号「８」と「６」のスロットＳＬとの間おいて、即ち、第４ティースＴ４の第２分岐部Ｔ４ｂ及び第３ティースＴ３の第１分岐部Ｔ３ａ間に、その引き回した第１導線Ｗ１を順巻きにて巻回する。これによって、第２分岐部Ｔ４ｂと第１分岐部Ｔ３ａの間には、分布巻きで順巻きの第１５巻線Ｃ１５が巻回される。
【０１５５】
一方、図１９に示すように、Ｂフライヤーは、第２セグメントＳ２のライザＲに引っ掛けた第２導線Ｗ２を、スロット番号「２０」のスロットＳＬまで反時計回り方向に引き回す。そして、Ｂフライヤーは、スロット番号「２０」と「１８」のスロットＳＬとの間おいて、即ち、第１０ティースＴ１０の第２分岐部Ｔ１０ｂ及び第９ティースＴ９の第１分岐部Ｔ９ａ間に、引き回した第２導線Ｗ２を順巻きにて巻回する。これによって、第２分岐部Ｔ１０ｂと第１分岐部Ｔ９ａの間には、分布巻きで順巻きの第２１巻線Ｃ２１が巻回される。
【０１５６】
巻線巻回工程２９（セグメント：Ｓ２３、Ｓ１１）
図１９に示すように、Ａフライヤーは、第１５巻線Ｃ１５を巻回した第１導線Ｗ１を、スロット番号「６」のスロットＳＬから第２３セグメントＳ２３まで反時計回り方向に引き回し、同第２３セグメントＳ２３のライザＲに引っ掛けて掛け止める。
【０１５７】
一方、図１９に示すように、Ｂフライヤーは、第２１巻線Ｃ２１を巻回した第２導線Ｗ２を、スロット番号「１８」のスロットＳＬから第１１セグメントＳ１１まで反時計回り方向に引き回し、同第１１セグメントＳ１１のライザＲに引っ掛けて掛け止める。
【０１５８】
これによって、ＡフライヤーとＢフライヤーからなるダブルフライヤー巻線機を使っての第１〜第２４巻線Ｃ１〜Ｃ２４の巻回作業は終了する。
最後に、第１〜第２４巻線Ｃ１〜Ｃ２４の始端部（巻端部）及び終端部（巻端部）を掛け止めしているセグメントのライザＲを折り曲げ、ヒュージング工程を実行する。
【０１５９】
つまり、８個の第２、第５、第８、第１１、第１４、第１７、第２０、及び、第２３セグメントＳ２，Ｓ５，Ｓ８，Ｓ１１，Ｓ１４，Ｓ１７，Ｓ２０，Ｓ２３のライザＲを、それぞれ対応する巻線の巻端部の掛け止めた部分が保持される方向に折り曲げる。続いて、ヒュージングが行われ、このヒュージングによって、その８個のセグメンイのライザＲは、それぞれ対応する各巻線の巻端部と各短絡線の非端末部とともに接合し電気的に接続される。
【０１６０】
これによって、電機子３が製造される。
次に、上記実施形態の作用を記載する。
第１〜第８短絡線Ｌ１〜Ｌ８は、始端部を掛け止めしたセグメントのライザＲから反時計回り方向に引き回して２４０°離間したそれぞれ対応するセグメントのライザＲに終端部を掛け止める。このとき、第１〜第８短絡線Ｌ１〜Ｌ８は、反時計回り方向に引き回す際に始端部を掛け止めしたセグメントから反時計回り方向に１２０°離間したセグメントのライザＲに対して非端末部を引っ掛けた後に、反時計回り方向に１２０°離間した終端部を掛け止めするセグメントまで引き回して掛け止めした。
【０１６１】
そして、第１〜第８短絡線Ｌ１〜Ｌ８の始端部と終端部は、その掛け止めた各ライザＲを折り曲げた。一方、第１〜第８短絡線Ｌ１〜Ｌ８の非端末部は、その引っ掛けた各ライザＲを折り曲げない状態して、巻線の巻端部として使用した。これによって、第１〜第８短絡線Ｌ１〜Ｌ８の始端部及び終端部の掛け止め部分は、巻線の巻端部の掛け止め際に影響を受けることはないことから、巻線を巻回するときに緩でしまうことはない。
【０１６２】
また、第１〜第８短絡線Ｌ１〜Ｌ８の始端部と終端部は、その掛け止めた各ライザＲを折り曲げたことから、巻線を巻回する際に邪魔になるライザＲがなくなり巻線の巻回作業が容易となる。
【０１６３】
次に、上記実施形態の効果を以下に記載する。
（１）本実施形態によれば、第１〜第８短絡線Ｌ１〜Ｌ８の非端末部を引っ掛けた第２、第５、第８、第１１、第１４、第１７、第２０、及び、第２３セグメントＳ２，Ｓ５，Ｓ８，Ｓ１１，Ｓ１４，Ｓ１７，Ｓ２０，Ｓ２３のライザＲに、巻線の巻端部が掛け止めされて巻線が巻回されるようにした。従って、第１〜第８短絡線Ｌ１〜Ｌ８の始端部及び終端部の掛け止め部分が巻線の巻端部の掛け止め際に影響を受けることはない。その結果、第１〜第８短絡線Ｌ１〜Ｌ８の始端部及び終端部の掛け止め部分が緩む虞はない。
【０１６４】
（２）本実施形態によれば、非端末部を引っ掛けた第２、第５、第８、第１１、第１４、第１７、第２０、及び、第２３セグメントＳ２，Ｓ５，Ｓ８，Ｓ１１，Ｓ１４，Ｓ１７，Ｓ２０，Ｓ２３のライザＲ、即ち、巻線の巻回に使用するセグメントのライザＲを周方向において隣接しないように配置した。しかも、ライザ折り曲げ工程において、巻線の巻回に使用するライザＲを除く全てのライザＲを折り曲げた。従って、巻線の巻端部をライザＲに引っ掛ける際に、巻線の巻回に使用しないライザＲが折り曲げられているので、邪魔になるライザＲがなくなり、巻線の巻回が容易かつ精度よく行える。
【０１６５】
（３）本実施形態によれば、ダブルフライヤー巻線機を使い、そのダブルフライヤー巻線機のＡフライヤーとＢフライヤーがそれぞれ分担して、第１〜第８短絡線Ｌ１〜Ｌ８を結線するため、その結線作業の時間を短縮することができる。
【０１６６】
（４）本実施形態によれば、ダブルフライヤー巻線機を使い、そのダブルフライヤー巻線機のＡフライヤーとＢフライヤーがそれぞれ分担して、第１〜第２４巻線Ｃ１〜Ｃ２４を巻回するため、その巻回作業の時間を短縮することができる。
【０１６７】
上記実施の形態は、以下のように変更してもよい。
○上記実施形態では、固定子２に備えられる磁極（マグネット）の極数を６とし、スロットの数２４、セグメントの数を２４としたが、これを適宜変更してもよい。例えば、磁極の数が４であって、スロットの数が１８，セグメントの数が１８となる電機子を有する直流モータに応用してもよい。
【０１６８】
この場合、図２０、図２１に示すように、１８個の第１〜第１８セグメントＳ１〜Ｓ１８を有した整流子５に対して、９個の第１〜第９短絡線Ｌ１〜Ｌ９が設けられている。そして、１８０°対峙する２個のセグメント同士を１つの組として、９個の組毎に短絡線が割り当てられている。
【０１６９】
各組の短絡線の結線方法は、例えば、図２１に示すように、第１セグメントＳ１と第１０セグメントＳ１０の組について、第１短絡線Ｌ１の始端部を第１セグメントＳ１のライザＲに掛け止めした後、第１短絡線Ｌ１を周方向に１８０°離間した第１０セグメントＳ１０まで反時計回り方向に引き回し、同第１０セグメントＳ１０のライザＲにクロスさせて引っ掛ける。そして、第１０セグメントＳ１０のライザＲに引っ掛けた第１短絡線Ｌ１を、先の第１セグメントＳ１まで反時計回り方向に引き回し同第１セグメントＳ１のライザＲに引っ掛けて掛け止めすることによって、第１短絡線Ｌ１が形成される。
【０１７０】
そして、以後同様の方法で配線を行うことで、整流子５に９個の第１〜第９短絡線Ｌ１〜Ｌ９が設けられている。
なお、第１〜第９短絡線Ｌ１〜Ｌ９を配線する時、第１〜第９短絡線Ｌ１〜Ｌ９の非端末部をクロスさせて引っ掛けているセグメント間は、１つのセグメントをおいて離間するように配置されている。
【０１７１】
○上記実施形態では、直流モータ１の電機子３は、各ティースＴが内側巻回部Ｔｃの先端部に第１及び第２分岐部Ｔａ，Ｔｂを備えたものであった。これを、ティースＴが第１及び第２分岐部Ｔａ，Ｔｂを備えない電機子３に応用してもよい。
【０１７２】
○上記実施形態では、陽極側ブラシＢ１及び陰極側ブラシＢ２を、それぞれ１個ずつの直流モータ１に具体化したが、陽極側ブラシＢ１及び陰極側ブラシＢ２を、それぞれ複数個ずつ設けた直流モータに具体化してもよい。
【０１７３】
○上記実施形態では、第１〜第８短絡線Ｌ１〜Ｌ８の結線及び第１〜第２４巻線Ｃ１〜Ｃ２４の巻回を、ＡフライヤーとＢフライヤーからなるダブルフライヤーにて行った。これを、１つのフライヤーにて、第１〜第８短絡線Ｌ１〜Ｌ８の結線及び第１〜第２４巻線Ｃ１〜Ｃ２４の巻回を行ってもよい。
【０１７４】
○上記実施形態では、ライザ折り曲げ工程において、第１〜第８短絡線Ｌ１〜Ｌ８の始端部及び終端部を掛け止めしているセグメントのライザＲを折り曲げた後、巻線巻回工程に移った。これを、巻線巻回工程に移る前のライザ折り曲げ工程に代えて、その始端部及び終端部を掛け止めしているセグメントのライザＲを折り曲げて（かしめて）ヒュージング工程を行ってもよい。
【０１７５】
勿論、第１〜第８短絡線Ｌ１〜Ｌ８の始端部及び終端部とセグメントのライザＲのヒュージングについて、第２、第５、第８、第１１、第１４、第１７、第２０、第２３セグメントＳ２，Ｓ５，Ｓ８，Ｓ１１，Ｓ１４，Ｓ１７，Ｓ２０，Ｓ２３のライザＲと巻線の始端部及び終端部とがヒュージングされるヒュージング工程ときに、合わせて行ってもよい。
【符号の説明】
【０１７６】
１…直流モータ、２…固定子、２ａ…ヨークハウジング、３…電機子、４…回転軸、５…整流子、５ａ…保持部材、６…電機子コア、７…コアバック、ＭＧ１…第１永久磁石、ＭＧ２…第２永久磁石、Ｓ…セグメント、Ｓ１〜Ｓ２４…第１〜第２４セグメント、Ｒ…ライザ、Ｂ１…陽極側ブラシ、Ｂ２…陰極側ブラシ、ＳＬ…スロット、Ｌ１〜Ｌ８…第１〜第８短絡線、Ｔ…ティース、Ｔ１〜Ｔ１２…第１〜第１２ティース、Ｔａ，Ｔ１ａ〜Ｔ１２ａ…第１分岐部、Ｔｂ，Ｔ１ｂ〜Ｔ１２ｂ…第２分岐部、Ｔｃ，Ｔ１ｃ〜Ｔ１２ｃ…内側巻回部、Ｃ１〜Ｃ２４…第１〜第２４巻線、Ｗ１，Ｗ２…第１及び第２導線、Ｏ…中心軸。
【図１】
2015082894.tif 000005
【図２】
2015082894.tif 000006
【図３】
2015082894.tif 000007
【図４】
2015082894.tif 000008
【図５】
2015082894.tif 000009
【図６】
2015082894.tif 000010
【図７】
2015082894.tif 000011
【図８】
2015082894.tif 000012
【図９】
2015082894.tif 000013
【図１０】
2015082894.tif 000014
【図１１】
2015082894.tif 000015
【図１２】
2015082894.tif 000016
【図１３】
2015082894.tif 000017
【図１４】
2015082894.tif 000018
【図１５】
2015082894.tif 000019
【図１６】
2015082894.tif 000020
【図１７】
2015082894.tif 000021
【図１８】
2015082894.tif 000022
【図１９】
2015082894.tif 000023
【図２０】
2015082894.tif 000024
【図２１】
2015082894.tif 000025